(57)【要約】【課題】照射領域に拠らずに均一となる照射光を生成し易く、光の出射効率も向上させ易い照明装置及び導光板を提供すること。【解決手段】導光板８が、光を高さ方向下側に反射可能な複数の反射部２５を厚さ方向の片側に有する板状部２０、板状部２０から離れるにしたがって高さ方向上側に変位するように湾曲する湾曲部２１、及び湾曲部２１から板状部２０側とは反対側に延在して高さ方向上側に凹部３４を有する入光部２２を有する。入光部２２が、凹部３４の内面で構成される入光面３３における板状部２０側の部分を含むと共に板状部２０側に行くにしたがって厚さ方向の厚さが徐々に厚くなる肉厚増大部を板状部２０側に有する。照明装置１が、導光板８に加えて、少なくとも一部が凹部３４内に収容されて、凹部３４の内面で構成される入光面３３に向けて光を出射する１以上のＬＥＤ１７を備える。【選択図】図１
2020194657.tif 000002
【特許請求の範囲】
【請求項１】
光を厚さ方向の第１の側に反射可能な複数の反射部を少なくとも厚さ方向の片側に有する板状部、前記板状部に繋がると共に前記板状部から離れるにしたがって前記厚さ方向の第２の側に変位するように湾曲する湾曲部、及び、前記湾曲部から前記板状部側とは反対側に延在して、前記厚さ方向の前記第２の側に凹部を有する入光部を有する導光板と、
少なくとも一部が前記凹部内に収容されて、前記凹部の内面で構成される入光面に向けて光を出射する１以上の光源と、を備え、
前記入光部が、前記入光面における前記板状部側の部分を含むと共に前記板状部側に行くにしたがって前記厚さ方向の厚さが徐々に厚くなる肉厚増大部を前記板状部側に有する、照明装置。
【請求項２】
前記導光板を導光する光の導光方向と前記厚さ方向とを含む平面で切断したときの断面において、前記入光面は、前記厚さ方向の前記第１の側に凸の曲線で構成される第１入光面部と、その第１入光面部の前記湾曲部側の第１端に微分不可能に繋がって前記第１端から前記板状部側に延びる第２入光面部とを有し、
前記入光部の前記厚さ方向の前記第１の側の面における前記湾曲部側の第２端は、前記第１端よりも前記板状部側に位置し、
前記光源から出射される出射光の光軸は、前記第１端よりも前記板状部側に位置する、請求項１に記載の照明装置。
【請求項３】
前記第２入光面部が、前記第１入光面部の前記第２入光面部側の端に微分不可能に繋がると共に前記厚さ方向の前記第２の側に凸の凸面部を含む、請求項２に記載の照明装置。
【請求項４】
前記第２入光面部が、前記第１入光面部側とは反対側の領域に光を拡散させる拡散部を含む、請求項２又は３に記載の照明装置。
【請求項５】
光を厚さ方向の第１の側に反射可能な複数の反射部を少なくとも厚さ方向の片側に有する板状部と、
前記板状部に繋がると共に前記板状部から離れるにしたがって前記厚さ方向の第２の側に変位するように湾曲する湾曲部と、
前記湾曲部から前記板状部側とは反対側に延在して、前記厚さ方向の前記第２の側に凹部を有する入光部と、を備え、
前記入光部が、前記凹部の内面で構成される入光面における前記板状部側の部分を含むと共に前記板状部側に行くにしたがって前記厚さ方向の厚さが徐々に厚くなる肉厚増大部を前記板状部側に有する、導光板。
【発明の詳細な説明】
【技術分野】
【０００１】
本開示は、照明装置に関する。また、本開示は、照明装置の導光板に関する。
【背景技術】
【０００２】
従来、照明装置としては、特許文献１に記載されているものがある。この照明装置は、円板状のシーリングライトであり、円環状の基板、複数の発光ダイオード（Light Emitting Diode；以下では、ＬＥＤと言う）、及び一体の導光板を備える。複数のＬＥＤは、基板の実装面における基板中心を中心とする円上に間隔をおいて配置される。
【０００３】
また、導光板は、環状の湾曲部と円板部とを有する。環状の湾曲部は、高さ方向に略直交する直交方向に広がる円環状の入光面を高さ方向上端に有し、その入光面には、複数のＬＥＤからの出射光が入射する。他方、円板部は、湾曲部下側の環状の端部から径方向内側に直交方向に広がっている。導光板は、高さ方向上側面の全域に湾曲部から円板部にかけて略均等に形成された多数のプリズムを有する。多数のプリズムは、導光板内を導光する光を照射方向に反射させる。
【先行技術文献】
【特許文献】
【０００４】
【特許文献１】特開６１３８６４４号公報
【発明の概要】
【発明が解決しようとする課題】
【０００５】
上記照明装置では、多数のプリズムを、高さ方向上側面の全域に略均等に形成しているので、照射光の輝度が照射箇所に拠らずに均一となり易い。しかし、プリズムは、光を照射方向に反射させるだけでなく、光を照射方向とは反対側に漏洩させる性質を有する。そして、湾曲部に設けたプリズムが生成する漏洩光は、制御し難くて光の出射効率を低下させる。
【０００６】
そこで、本開示の目的は、照射領域に拠らずに均一となる照射光を生成し易く、光の出射効率も向上させ易い照射装置及び導光板を提供することにある。
【課題を解決するための手段】
【０００７】
上記課題を解決するため、本開示に係る照明装置は、光を厚さ方向の第１の側に反射可能な複数の反射部を少なくとも厚さ方向の片側に有する板状部、板状部に繋がると共に板状部から離れるにしたがって厚さ方向の第２の側に変位するように湾曲する湾曲部、及び、湾曲部から板状部側とは反対側に延在して、厚さ方向の第２の側に凹部を有する入光部を有する導光板と、少なくとも一部が凹部内に収容されて、凹部の内面で構成される入光面に向けて光を出射する１以上の光源と、を備え、入光部が、入光面における板状部側の部分を含むと共に板状部側に行くにしたがって厚さ方向の厚さが徐々に厚くなる肉厚増大部を板状部側に有する。
【０００８】
また、本開示に係る導光板は、光を厚さ方向の第１の側に反射可能な複数の反射部を少なくとも厚さ方向の片側に有する板状部と、板状部に繋がると共に板状部から離れるにしたがって厚さ方向の第２の側に変位するように湾曲する湾曲部と、湾曲部から板状部側とは反対側に延在して、厚さ方向の第２の側に凹部を有する入光部と、を備え、入光部が、凹部の内面で構成される入光面における板状部側の部分を含むと共に板状部側に行くにしたがって厚さ方向の厚さが徐々に厚くなる肉厚増大部を板状部側に有する。
【発明の効果】
【０００９】
本開示によれば、照射領域に拠らずに均一となる照射光を生成し易く、光の出射効率も向上させ易い。
【図面の簡単な説明】
【００１０】
【図１】（ａ）は、本開示の一実施形態に係る照明装置の模式断面図であり、（ｂ）は、その照明装置を下から見たときの、導光板、複数のＬＥＤ、及び筐体の縁部の位置関係を示す模式平面図である。
【図２】図１（ａ）における湾曲部周辺の部分拡大断面図である。
【図３】変形例の照明装置における図２に対応する部分拡大断面図である。
【図４】他の変形例の照明装置における図２に対応する部分拡大断面図である。
【図５】（ａ）は、別の変形例の照明装置における図１（ａ）に対応する模式断面図であり、（ｂ）は、照明装置における図１（ｂ）に対応する模式平面図である。
【発明を実施するための形態】
【００１１】
以下に、本開示に係る実施の形態について添付図面を参照しながら詳細に説明する。なお、以下において複数の実施形態や変形例などが含まれる場合、それらの特徴部分を適宜に組み合わせて新たな実施形態を構築することは当初から想定されている。また、以下の説明において、表側又は下側と言及した場合、それは光の照射側を示し、裏側又は上側と言及した場合、それは光の照射側とは反対側を示す。また、以下では、光源が、ＬＥＤ１７である場合を例に説明を行うが、光源は、ＬＥＤ以外の発光素子で構成されてもよく、例えば、半導体レーザ素子や、有機ＥＬ（Electro Luminescence）素子若しくは無機ＥＬ素子等の固体発光素子で構成されてもよく、光源は、白熱灯で構成されてもよい。
【００１２】
また、以下の実施例では、図面において同一構成に同一符号を付し、重複する説明を省略する。また、複数の図面には、模式図が含まれ、異なる図間において、各部材における、縦、横、高さ等の寸法比は、必ずしも一致しない。また、本明細書で、「略」という文言を用いた場合、「大雑把に言って」という文言と同じ意味合いで用いており、「略」の要件は、人がだいたいそのように見えれば満たされる。また、以下で説明される構成要素のうち、最上位概念を示す独立請求項に記載されていない構成要素については、任意の構成要素であり、必須の構成要素ではない。
【００１３】
図１は、照明装置１の構造を説明する模式図である。詳しくは、図１（ａ）は、本開示の一実施形態に係る照明装置１の模式断面図であり、図１（ｂ）は、照明装置１を下から見たときの、導光板８、複数のＬＥＤ１７、及び筐体２の縁部の位置関係を示す模式平面図である。照明装置１は、住宅用ＬＥＤシーリングライトである。図１（ａ）に示すように、照明装置１は、平面視が略円形の筐体２、光源基板としての環状のＬＥＤ基板４、円環状の高反射シート５、外周円錐面７ａを含む取付給電部７、環状の導光板８、及び平面視が略円形の拡散カバー９を備える。図１（ｂ）に示すように、筐体２、ＬＥＤ基板４、高反射シート５、取付給電部７、導光板８、及び拡散カバー９の各中心軸は、略同一直線上に位置する。
【００１４】
図１（ａ）を参照して、筐体２は、金属や樹脂で構成され、円板状の取付板１１を有する。取付板１１には、ＬＥＤ基板４及び取付給電部７が締結手段や接着剤等で取り付けられる。取付給電部７は、例えば、ケース１２と、ケース１２内に収容される電源部１４を有する。本実施形態では、ケース１２が、外周円錐面７ａを有するが、円錐外周面以外の環状外周面を有してもよく、例えば、円筒外周面を有してもよい。ケース１２は、例えば、天井に設置された取付構造、例えば、引掛シーリングや引掛ローゼット等に引掛固定される。
【００１５】
電源部１４は、ケース１２の該取付構造への固定により外部配線と電気的に接続され、交流電力が外部から電源部１４に供給される。電源部１４は、例えば、図示しない電源基板に設けられた図示しない変換回路を有し、この変換回路で入力された交流電力を直流電力に変換する。電源部１４は、変換後の直流電力をＬＥＤ基板４に供給する。電源部１４は、電源基板に設けられたスイッチング回路を有し、図示しないリモコンからの信号等により、電源部１４からＬＥＤ基板４への直流電力の供給又は遮断を実行する。なお、上記変換回路やスイッチング回路は、ケース１２内に設置されなくてもよく、例えば、取付板１１の表面（下面）等に設置されてもよい。また、スイッチング回路は、ＬＥＤ基板４に設けられてもよい。変換回路及びスイッチング回路は、照明装置１内の如何なる箇所に設けられてもよい。
【００１６】
ＬＥＤ基板４は、円環状の基板１６と、光源の一例としての複数のＬＥＤ１７を有し、ＬＥＤ１７は、基板１６の実装面における同一の径方向位置に周方向に略等間隔に実装される。基板１６は、例えば、プリント基板で構成され、如何なる硬さを有してもよく、リジット基板、フレキシブル基板、及びリジットフレキシブル基板のうちのいずれの基板で構成されてもよい。また、基板１６は、如何なる組成を有してもよく、例えば、紙フェノール基板、紙エポキシ基板、ガラスコンポジット基板、ガラスエポキシ基板、テフロン（登録商標）基板、アルミナ（セラミックス）基板、又はコンポジット基板等で構成される。基板１６上には、点灯回路が設けられる。点灯回路は、全てのＬＥＤ１７を電気的に接続する。直流電力が変換回路から点灯回路に供給されることで、各ＬＥＤ１７が点灯する。
【００１７】
導光板８は、一体構造を有する。導光板８は、透明材料、例えば、アクリル、ポリカーボネート、又はガラス等で構成され、図１（ａ）に示すように、円板状の板状部２０、湾曲部２１、及び入光部２２を含む。導光板８は、例えば、その板状部２０を取付給電部７のケース１２の下面１２ａに固定された高反射シート５の下面に透明接着剤等で固着することで筐体２に取り付けられる。高反射シート５は、反射率が９０％以上の材質で構成されると好ましく、反射率が９５％以上の材質で構成されると更に好ましい。高反射シート５は、例えば、金属箔や、ポリプロピレン系樹脂組成物等で好適に構成できる。高反射シート５は、板状部２０の全域に厚さ方向に対向するように設けられると好ましい。
【００１８】
図１（ａ）に示すように、板状部２０は、光を厚さ方向の第１の側である厚さ方向の照射側（厚さ方向の下側）に反射させる複数の反射部２５を厚さ方向の上側のみに有する。各反射部２５は、円錐状の凹部で構成される。板状部２０の厚さ方向は、照明装置１の高さ方向に略一致する。なお、本実施形態と異なり、板状部は、複数の反射部を、厚さ方向の下側のみに有してもよく、厚さ方向の上側と下側の両側に有してもよい。また、各反射部は、円錐状でなくて、円錐台状やドット状（半球状）の凹部で構成されてもよく、円錐状、円錐台状、又はドット状（半球状）の突出部等で構成されてもよい。
【００１９】
湾曲部２１は、環状構造を有する。湾曲部２１は、板状部２０に繋がると共に板状部２０から離れるにしたがって厚さ方向の第２の側としての厚さ方向の上側に変位するように湾曲する。より詳しくは、湾曲部２１は、板状部２０の径方向の外方側の端部から径方向の外方側に延在し、板状部２０から径方向の外方側に行くにしたがって高さ方向の上側に湾曲する。本実施形態では、平面視において、環状の導光板８の径方向は、導光板８における光の導光方向と一致する。
【００２０】
図２は、図１（ａ）における湾曲部２１周辺の部分拡大断面図である。図２に示すように、湾曲部２１は、その厚さ方向の下側に下側湾曲面２７を有し、その厚さ方向の上側に上側湾曲面２８を有する。湾曲部２１は、下側湾曲面２７と上側湾曲面２８で囲まれた部分で構成される。詳しくは、図１（ａ）に示す断面図において、第１環状面３０は、下側湾曲面２７の板状部２０側の端と上側湾曲面２８の板状部２０側の端とを結んだ線分で構成され、第２環状面３１は、下側湾曲面２７の入光部２２側の端と上側湾曲面２８の入光部２２側の端とを結んだ線分で構成される。湾曲部２１は、導光板８において第１環状面３０と第２環状面３１とで囲まれる部分で構成される。
【００２１】
図１（ａ）を参照して、入光部２２は、湾曲部２１から導光方向における板状部２０側とは反対側に延在して、入光面３３が画定する凹部３４を厚さ方向の上側に有する。凹部３４は、環状構造を有する。図２に示すように、各ＬＥＤ１７は、少なくとも一部が凹部３４内に収容され、具体的には、その光出射面１７ａが凹部３４内に収容される。各ＬＥＤ１７は、凹部３４の内面で構成される入光面３３に向けて光を出射する。各ＬＥＤ１７が出射した放射状の出射光は、凹部３４を画定する入光面３３を通過した後、導光板８内に進行する。
【００２２】
入光部２２は、入光面３３における板状部２０側の部分を含むと共に板状部２０側に行くにしたがって厚さ方向の厚さが徐々に厚くなる肉厚増大部４０を板状部２０側に有する。なお、本実施形態では、導光板８が環状構造を有し、肉厚増大部４０の厚さは、径方向の内方側（径方向の板状部２０側）に行くにしたがって厚くなっている。
【００２３】
より詳しくは、図２に示す断面、すなわち、導光板８を導光する光の導光方向と厚さ方向とを含む平面で切断したときの断面において、入光面３３は、厚さ方向の第１の側に凸の曲線で構成される第１入光面部３３ａと、第１入光面部３３ａの湾曲部２１側の第１端３８に微分不可能に繋がって第１端３８から板状部２０側に延びる第２入光面部３３ｂとを有する。
【００２４】
入光部２２の厚さ方向の第１の側の面（下面）５０における湾曲部２１側の第２端５１は、第１端３８よりも板状部２０側に位置し、径方向の内側に位置する。また、ＬＥＤ１７から出射される出射光の光軸は、第１端３８よりも板状部２０側に位置し、径方向の内側に位置する。肉厚増大部４０は、導光板８において導光方向の第１端３８と第２端５１との間に位置する部分を含む。
【００２５】
第２入光面部３３ｂは、図２に示す断面において第１入光面部３３ａの第２入光面部３３ｂ側の第１端３８に微分不可能に繋がると共に厚さ方向の第２の側（上側）に凸の凸面部５５を含む。凸面部５５は、入光面３３において第１端３８よりも導光方向の板状部２０側に位置する全ての部分で構成されてもよいが、第２入光面部３３ｂにおいて第１入光面部３３ａ側に位置する一部分で構成されてもよい。
【００２６】
第２入光面部３３ｂは、第１入光面部３３ａ側とは反対側の領域に光を拡散させる拡散部５７を含んでもよい。拡散部５７は、当該領域にシボ等の凹凸構造を形成することで形成してもよい。又は、拡散部は、導光板が透明樹脂で形成される場合、当該領域に、光を散乱させるための微粒子、例えば、シリカ、酸化チタン、若しくは酸化亜鉛等の顔料、又は、樹脂、ガラス、若しくはジルコニア等のビーズ類等を混入させるか、混練することで形成してもよい。又は、導光板が、本体部と、拡散部を構成する拡散シートを有してもよい。そして、本体部の第２入光面部における第１入光面部側とは反対側の領域に拡散シートを接着剤や両面テープにより固着することで拡散部を形成してもよい。また、拡散シートは、公知の如何なる材料で構成されてもよく、例えば、シート状の、乳半アクリル樹脂や、表面に光拡散粒子を含有した光拡散層を有するポリエチレンテレフタラート（ＰＥＴ）で構成されてもよい。
【００２７】
拡散カバー９は、厚さ方向上側に開口する凹部６０を有する。拡散カバー９は、例えば、塩化水銀などの拡散材を添加された透明なポリカーボネート樹脂により形成されてもよく、又は、ポリテトラフルオロエチレン（ＰＴＦＥ）等の多孔質膜を有してもよい。拡散カバー９は、例えば、筐体２の取付板１１の周縁部に着脱可能に嵌め込まれて固定される。拡散カバー９は、高さ方向上側から到達した光を拡散して照射方向（高さ方向下側）に出射させる。
【００２８】
上記構成において、ＬＥＤ１７から出射された光の一部Ｒ１は、入光部２２の入光面３３に入射した後、入光部２２を通過して、入光部２２から放射状に高さ方向下側に出射され、拡散カバー９で拡散された後、照射領域に出射される。特に、本開示の導光板８では、入光部２２が、板状部２０側に行くにしたがって厚さ方向の厚さが徐々に厚くなる肉厚増大部４０を板状部２０側に有しているので、中央部分が周辺部分より薄い凹レンズ構造を入光部２２の板状部２０側に局所的に形成することができる。したがって、特に、湾曲部２１の下方側を上記凹レンズ構造で発散された光Ｒ２で照らすことができ、湾曲部２１直下領域の光の輝度（光度）を高くできる。
【００２９】
更には、ＬＥＤ１７から出射された光の他の一部Ｒ３は、入光部２２の入光面３３に入射した後、湾曲部２１内を進行して板状部２０内を導光する。そして、板状部２０の反射部２５で高さ方向下側に反射されて拡散カバー９で拡散された後、照射領域に出射される。また、板状部２０の反射部２５に到達した光の一部は、高さ方向上側に漏洩し、高反射シート５で高さ方向下側に反射された後、板状部２０と拡散カバー９を通過して、照射領域に出射される。本実施形態では、高反射シート５が、板状部２０に厚さ方向に対向する位置に設けられているので、反射部２５で高さ方向上側に漏洩した光の殆どを照明光とすることができ、発光効率を高くすることができる。
【００３０】
以上、上記実施形態によれば、入光部２２が、板状部２０側に行くにしたがって厚さ方向の厚さが徐々に厚くなる肉厚増大部４０を板状部２０側に有しているので、中央部分が周辺部分より薄い凹レンズ構造を入光部２２の板状部２０側に局所的に形成することができる。したがって、当該凹レンズ構造で入光部２２に入射した光を効率的に拡散させることができて、当該光を湾曲部２１の下方領域に効率的に曲げることができ、広角配光を実現できる。よって、湾曲部２１の直下領域を上記凹レンズ構造で発散された光Ｒ２で明るく照らすことができ、当該直下領域の光の輝度（光度）を高くできる。
【００３１】
また、拡散カバー９の外周領域及び側面領域に到達する光は、導光板８を導光することがなく、入光部２２で拡散された後、当該領域に直接導かれる。したがって、従来のプリズムによる反射光で拡散カバーの外周領域及び側面領域を照らす場合との比較で、拡散カバー９の外周領域及び側面領域に到達する光の輝度を上げることができる。よって、従来、暗くなりがちな、湾曲部２１の直下領域や拡散カバー９の外周領域及び側面領域を明るく照らすことができるので、照射領域によらず、より均一で輝度が高い照明光を生成できる。
【００３２】
また、図２に示す本実施形態の場合、反射部２５が湾曲部２１に存在しないので、損失光となり易い湾曲部２１の反射部で高さ方向上側に漏洩する光が生じることがない。よって、光の出射効率を更に向上させることができる。また、湾曲部には、微細なプリズム構造は形成し難いという課題がある。これに対し、本実施形態では、反射部２５が湾曲部２１に存在しないので、導光板８を射出成形等で容易に形成できる。したがって、導光板８の加工を格段に容易なものにできて、導光板８を量産し易く、導光板８の製造コストを低減できる。
【００３３】
また、入光部２２の厚さ方向の下側の面５０における湾曲部２１側の第２端５１が、第１入光面部３３ａの第２入光面部３３ｂ側の第１端３８よりも板状部２０側に位置し、ＬＥＤ１７から出射される出射光の光軸が、第１端３８よりも板状部２０側に位置する。したがって、凹レンズ構造の領域を大きくでき、ＬＥＤ１７から出射される光の多くを凹レンズ構造に入射させることができる。よって、より均一となる照射光を更に生成し易く、光の出射効率を更に大きくできる。
【００３４】
また、図２に示す断面において、第２入光面部３３ｂが、第１入光面部３３ａの第２入光面部３３ｂ側の第１端３８に微分不可能に繋がると共に厚さ方向の上側に凸の凸面部５５を有する。したがって、凸面部５５の凸レンズの効果により光を集光でき、該凸レンズが存在しなければ照明装置１の内側スペースに漏れていたより多くの光を板状部２０の方に導くことができる。よって、該凸レンズが存在しなければ内側スペースに漏れていた光を、板状部２０の反射部２５を介して照射領域に照射できるので、光の出射効率を更に向上させることができる。
【００３５】
更には、ＬＥＤ１７が出射する光は、光軸に対する傾斜角度が小さい中央領域の光は設計通りの白色光となり易いのに対し、光軸に対する傾斜角度が大きい端側の光は黄色を帯びた光となり易く、この黄色を帯びた光が原因となって色ムラが生じることがある。これに対し、本実施形態では、第２入光面部３３ｂが、第１入光面部３３ａ側とは反対側の領域に光を拡散させる拡散部５７を有する。したがって、白い光を拡散させることなく、黄色を帯びた光のみを拡散させることができ、黄色を帯びた光が局所的に照射されることを防止できる。よって、照射光の色ムラを低減できて美しい光を照射できる。また、拡散部５７が、入光面３３において第１入光面部３３ａ側とは反対側に位置する傾斜が緩い箇所に存在する。したがって、導光板８を射出成形で形成する場合で、拡散部５７をシボ等の凹凸構造で形成する場合でも、導光板８を金型から抜き易くなる。
【００３６】
なお、本開示は、上記実施形態およびその変形例に限定されるものではなく、本願の特許請求の範囲に記載された事項およびその均等な範囲において種々の改良や変更が可能である。
【００３７】
例えば、上記実施形態では、第２入光面部３３ｂが、第１入光面部３３ａ側とは反対側の領域に光を拡散させる拡散部５７を有する場合について説明した。しかし、図３、すなわち、変形例の照明装置１０１における図２に対応する部分拡大断面図に示すように、第２入光面部１３３ｂが、第１入光面部１３３ａ側とは反対側の領域に光を拡散させる拡散部を有さなくてもよい。
【００３８】
また、第２入光面部３３ｂが、第１入光面部３３ａの第２入光面部３３ｂ側の第１端３８に微分不可能に繋がると共に厚さ方向の上側に凸の凸面部５５を有する場合について説明した。しかし、図４、すなわち、他の変形例の照明装置２０１における図２に対応する部分拡大断面図に示すように、第２入光面部２３３ｂが、第１入光面部２３３ａの第２入光面部２３３ｂ側の第１端２３８に微分不可能に繋がる円錐外周面２５５を有してもよい。要は、本開示の導光板では、入光部が、入光面における板状部側の部分を含むと共に板状部側に行くにしたがって厚さ方向の厚さが徐々に厚くなる肉厚増大部を板状部側に有していればよい。
【００３９】
また、図１（ａ）に示す断面において、入光面３３が、厚さ方向の下側に凸の曲線で構成される第１入光面部３３ａと、第１入光面部３３ａの湾曲部２１側の第１端３８から板状部２０側に延びる第２入光面部３３ｂを有する場合について説明した。また、入光部２２の厚さ方向の下側の面５０における湾曲部２１側の第２端５１が、第１入光面部３３ａの第２入光面部３３ｂ側の第１端３８よりも板状部２０側に位置し、ＬＥＤ１７から出射される出射光の光軸が、第１端３８よりも板状部２０側に位置する場合について説明した。また、湾曲部２１に反射部が一切存在しない場合について説明した。
【００４０】
しかし、入光面は、導光方向と厚さ方向とを含む断面において、厚さ方向の下側に凸の曲線で構成される入光面部を有さなくてもよい。また、入光部の厚さ方向の第１の側の面における湾曲部側の第２端が、第１入光面部の第２入光面部側の第１端よりも板状部側に位置しなくてもよい。また、光源から出射される出射光の光軸が、上記第１端よりも板状部側に位置しなくてもよい。また、湾曲部に１以上の反射部が存在してもよい。
【００４１】
また、導光板８が、環状構造を有し、導光方向が、導光板８の径方向に一致する場合について説明した。しかし、次に示すように、導光板は、環状でなくてもよい。図５（ａ）は、別の変形例の照明装置３０１における図１（ａ）に対応する模式断面図であり、図５（ｂ）は、照明装置３０１における図１（ｂ）に対応する模式平面図である。
【００４２】
図５に示すように、照明装置３０１は、２つの同一の導光板３０８を有してもよく、各導光板３０８は、平面視が略矩形となる形状を有してもよい。そして、導光方向が、平面視において矩形の導光板の幅方向又は長手方向に一致してもよい。
【００４３】
図５に示す変形例でも、導光板３０８は、光を厚さ方向の第１の側（高さ方向の下側）に反射可能な複数の反射部３２５を少なくとも厚さ方向の片側に有する板状部３２０を有する。また、導光板３０８は、板状部３２０に繋がると共に板状部３２０から離れるにしたがって厚さ方向の第２の側（高さ方向の下側）に変位するように湾曲する湾曲部３２１を有する。また、導光板３０８は、湾曲部３２１から板状部３２０側とは反対側に延在して、厚さ方向の第２の側に凹部３３４を有する入光部３２２を有する。凹部３３４は、導光板の幅方向又は長手方向に延在する。
【００４４】
また、照明装置３０１は、少なくとも一部が凹部３３４内に収容されて、凹部３３４の内面で構成される入光面３３３に向けて光を出射する１以上のＬＥＤ１７を備える。また、入光部３２２は、入光面３３３における板状部３２０側の部分を含むと共に板状部３２０側に行くにしたがって厚さ方向の厚さが徐々に厚くなる肉厚増大部３４０を板状部３２０側に有する。また、図５（ｂ）に示す平面図において、２つの導光板３０８の導光方向が一致し、一方の導光板３０８における板状部３２０と、他方の導光板３０８における板状部３２０とが、間隔をおいて導光方向に対向する。
【００４５】
また、導光板３０８を導光する光の導光方向と厚さ方向とを含む平面で切断したときの断面において、入光面３３３は、厚さ方向の第１の側に凸の曲線で構成される第１入光面部３３３ａと、第１入光面部３３３ａの湾曲部３２１側の第１端３３８に微分不可能に繋がって第１端３３８から板状部３２０側に延びる第２入光面部３３３ｂを有してもよい。また、入光部３２２の厚さ方向の第１の側の面（下側の面）３５０における湾曲部３２１側の第２端３５１は、第１端３３８よりも板状部３２０側に位置してもよい。また、ＬＥＤ１７から出射される出射光の光軸は、第１端３３８よりも板状部３２０側に位置してもよい。
【００４６】
なお、導光板３０８も、導光板８と同様に、第２入光面部３３３ｂが、第１入光面部３３３ａの第２入光面部３３３ｂ側の第１端３３８に微分不可能に繋がると共に厚さ方向の上側に凸の凸面部３５５を有してもよい。また、第２入光面部３３３ｂが、第１入光面部３３３ａ側とは反対側の領域に光を拡散させる拡散部３５７を有してもよい。また、導光板３０８に、図１〜図４で説明した１以上の構成を適用して、新たな変形例を作成してもよい。この変形例の照明装置３０１及び導光板３０８においても、照射領域に拠らずに均一となる照射光を生成でき、光の出射効率を向上させることができる。
【符号の説明】
【００４７】
１,１０１,２０１,３０１  照明装置、  ２  筐体、  ８,３０８  導光板、  １７  ＬＥＤ、  ２０,３２０  板状部、  ２１,３２１  湾曲部、  ２２,３２２  入光部、  ２５,３２５  反射部、  ３３,３３３  入光面、  ３３ａ,１３３ａ,２３３ａ,３３３ａ  第１入光面部、  ３３ｂ,１３３ｂ,２３３ｂ,３３３ｂ  第２入光面部、  ３４,３３４  凹部、  ３８,２３８,３３８  第１端、  ４０,３４０  肉厚増大部、  ５０  入光部の厚さ方向の第１の側の面（下面）、  ５１,３５１  第２端、  ５５,３５５  凸面部、  ５７,３５７  拡散部。
【図１】
2020194657.tif 000003
【図２】
2020194657.tif 000004
【図３】
2020194657.tif 000005
【図４】
2020194657.tif 000006
【図５】
2020194657.tif 000007